(57)【要約】【課題】１つの動力源によって、可動体に複数の動作をさせる。【解決手段】遊技機は、可動体により演出を行う遊技機であって、遊技盤と、１つの動力源と、前記可動体の一部を中心として回転可能に前記可動体を保持する保持部と、前記動力源により、前記可動体の一部を中心として前記可動体を回転させる第１の機構部と、前記動力源により、前記保持部の一部を中心として前記保持部を回転させる第２の機構部とを有する。【選択図】図８
2015051121.tif 000002
【特許請求の範囲】
【請求項１】
可動体により演出を行う遊技機であって、
遊技盤と、
１つの動力源と、
前記可動体の一部を中心として回転可能に前記可動体を保持する保持部と、
前記動力源により、前記可動体の一部を中心として前記可動体を回転させる第１の機構部と、
前記動力源により、前記保持部の一部を中心として前記保持部を回転させる第２の機構部と
を有することを特徴とする遊技機。
【請求項２】
前記動力源は、前記第１の機構部と前記第２の機構部とを同時に動作させることを特徴とする請求項１に記載の遊技機。
【請求項３】
前記第１の機構部は、前記動力源により駆動される第１のギヤと、前記第１のギヤにより駆動され、前記可動体の一部を中心として前記可動体を回転させる第２のギヤとを有し、
前記第２の機構部は、前記動力源により駆動される第３のギヤと、前記第３のギヤにより駆動され、前記保持部の一部を中心として前記保持部を回転させる第４のギヤとを有し、
前記第１のギヤと前記第３のギヤとは、前後方向に同軸に配置される
ことを特徴とする請求項１又は２に記載の遊技機。
【請求項４】
前記第１のギヤと前記第３のギヤとは軸部材により互いに同軸に固定されることを特徴とする請求項３に記載の遊技機。
【請求項５】
前記保持部は、前記第１のギヤと前記第３のギヤとの間に配され、
前記第２のギヤは、前記保持部に対して前記第１のギヤ側の方向に配され、
前記第４のギヤは、前記保持部に対して前記第３のギヤ側の方向に配される
ことを特徴とする請求項３又は４に記載の遊技機。
【請求項６】
前記第１のギヤのピッチ円半径、前記第２のギヤのピッチ円半径、前記第３のギヤのピッチ円半径及び前記第４のギヤのピッチ円半径は、前記第１の機構部による前記可動体の回転数が前記第２の機構部による前記保持部の回転数よりも多くなるように構成される
ことを特徴とする請求項３〜５のいずれか１つに記載の遊技機。
【発明の詳細な説明】
【技術分野】
【０００１】
本発明の実施形態は、可動体により演出を行うように構成された遊技機に関する。
【背景技術】
【０００２】
最近の遊技機は、複数の可動体が設けられているものが主流であり、可動体により演出を行うように構成される。また、遊技機には、可動体に複数の動作をさせるものがある。
【０００３】
例えば、遊技機は、複数の動力源（駆動手段）を有し、第１の動力源及び第１の機構によって可動体に第１の動作をさせ、また、第２の動力源及び第２の機構によって可動体に第２の動作をさせる。例えば動力源には、モータやソレノイドなどが用いられる。また、例えば機構には、ギヤ、アーム、スライダーなどが用いられる（例えば、特許文献１）。
【先行技術文献】
【特許文献】
【０００４】
【特許文献１】特開２０１０−３５７１８号公報
【発明の概要】
【発明が解決しようとする課題】
【０００５】
動力源は、可動体の動作の種類に対応して複数設置される。それにより、複数の動力源を設置するための広いスペースが必要になるという問題点があった。また、可動体を動作させるための機構も、動作の種類に対応して設置される。それにより機構が大型となり、機構を設置するための広いスペースが必要になるという問題点があった。
【０００６】
本発明の実施形態は、上記の問題を解決するものであり、１つの動力源によって、可動体に複数の動作をさせることを目的とする。
【課題を解決するための手段】
【０００７】
上記課題を解決するために、請求項１に係る遊技機は、可動体により演出を行う遊技機であって、遊技盤と、１つの動力源と、前記可動体の一部を中心として回転可能に前記可動体を保持する保持部と、前記動力源により、前記可動体の一部を中心として前記可動体を回転させる第１の機構部と、前記動力源により、前記保持部の一部を中心として前記保持部を回転させる第２の機構部とを有することを特徴とする。
また、請求項２に係る遊技機は、請求項１に記載の遊技機であって、前記動力源は、前記第１の機構部と前記第２の機構部とを同時に動作させることを特徴とする。
また、請求項３に係る遊技機は、請求項１又は２に記載の遊技機であって、前記第１の機構部は、前記動力源により駆動される第１のギヤと、前記第１のギヤにより駆動され、前記可動体の一部を中心として前記可動体を回転させる第２のギヤとを有し、前記第２の機構部は、前記動力源により駆動される第３のギヤと、前記第３のギヤにより駆動され、前記保持部の一部を中心として前記保持部を回転させる第４のギヤとを有し、前記第１のギヤと前記第３のギヤとは、前後方向に同軸に配置されることを特徴とする。
また、請求項４に係る遊技機は、請求項３に記載の遊技機であって、前記第１のギヤと前記第３のギヤとは軸部材により互いに同軸に固定されることを特徴とする。
また、請求項５に係る遊技機は、請求項３又は４に記載の遊技機であって、前記保持部は、前記第１のギヤと前記第３のギヤとの間に配され、前記第２のギヤは、前記保持部に対して前記第１のギヤ側の方向に配され、前記第４のギヤは、前記保持部に対して前記第３のギヤ側の方向に配されることを特徴とする。
また、請求項６に係る遊技機は、請求項３〜５のいずれか１つに記載の遊技機であって、前記第１のギヤのピッチ円半径、前記第２のギヤのピッチ円半径、前記第３のギヤのピッチ円半径及び前記第４のギヤのピッチ円半径は、前記第１の機構部による前記可動体の回転数が前記第２の機構部による前記保持部の回転数よりも多くなるように構成されることを特徴とする。
【発明の効果】
【０００８】
１つの動力源によって、可動体に複数の動作をさせることを可能にする。
【図面の簡単な説明】
【０００９】
【図１】本発明の実施形態に係る遊技機１の全体を示す模式図である。
【図２】本発明の実施形態に係る遊技機１に配される遊技盤７０を示す模式図である。
【図３】本発明の実施形態に係る裏ユニット７０ａの後方斜視図である。
【図４】本発明の実施形態に係る可動演出装置２００の前方斜視図である。
【図５】本発明の実施形態に係る可動演出装置２００の後方斜視図である。
【図６】本発明の実施形態に係る可動演出装置２００の正面図である。
【図７】本発明の実施形態に係る可動演出装置２００の背面図である。
【図８】図７におけるＡ−Ａ断面図である。
【図９】本発明の実施形態に係る第２のベース６００及び動力源Ｍを除いて表した可動演出装置２００の背面図である。
【図１０】図８における先端部の近傍を表す拡大図である。
【図１１】図８における基端部の近傍を表す拡大図である。
【図１２】本発明の実施形態に係る第２のベース６００、動力源Ｍ、第１の機構部及び保持部３００を除いて表した可動演出装置２００の背面図である。
【図１３】本発明の実施形態に係る第１の機構部による回転動作及び第２の機構部による回転動作を行った可動演出装置２００の前方斜視図である。
【図１４】本発明の実施形態に係る第１の機構部による回転動作及び第２の機構部による回転動作を行った可動演出装置２００の後方斜視図である。
【図１５】本発明の実施形態に係る第１の機構部による回転動作及び第２の機構部による回転動作を行った可動演出装置２００の正面図である。
【図１６】本発明の実施形態に係る第１の機構部による回転動作及び第２の機構部による回転動作を行った可動演出装置２００の背面図である。
【発明を実施するための形態】
【００１０】
本発明の実施形態に係る遊技機について各図を参照して説明する。
【００１１】
［遊技機の基本構成］
以下、遊技機の基本的な構成について図面を参照して説明する。なお、以下の説明において、「上」、「下」、「左」、「右」、「表（前）」、「裏（後）」、「内」、及び、「外」は、特に断らない限り、遊技機を遊技者側から見た場合における各方向を示すものとする。
【００１２】
図１は、実施形態の遊技機１の全体を示す模式図である。図２は、遊技機１に配される遊技盤７０を示す模式図である。
【００１３】
図１に示す遊技機１は、所謂パチンコ機である。この遊技機１には、遊技盤７０が機内部に配置されている。遊技機１上には、遊技球Ｐを射出する打球装置２０がそのハンドル部分を前面に露出させて設けられている。また、遊技盤７０上には、入賞口７６等のポケットが配されている。ここで、遊技盤７０上とは、遊技盤７０の盤面上をいう。遊技機１は、遊技者による打球装置２０のハンドル操作によって遊技球Ｐを遊技盤７０上に射出する。遊技機１は、遊技盤７０上を転動流下する遊技球Ｐが入賞口７６等に入球した場合、所定数の遊技球Ｐを払い出す。遊技機１は、上皿３０や下皿４０を備える。遊技球Ｐは、この上皿３０や下皿４０に払い出されて貯留される。
【００１４】
遊技機１は、機体の外郭をなす縦長方形状の外枠１０を備えている。外枠１０は、遊技ホールの島設備に取り付け固定される。外枠１０の下部は、合成樹脂製の腰板ユニット１１で構成されている。外枠１０の開口前面側には、各種の遊技用構成部材をセットするために、縦長方形状の中枠１２が開閉可能に取り付けられている。外枠１０には、一方の側縁部に、ヒンジ機構１３が設けられている。中枠１２は、ヒンジ機構１３に枢支され、開閉可能となっている。
【００１５】
中枠１２の前面側に、機内部に配置された遊技盤７０を透視保護するためのガラス枠を備えた前枠１４と上皿３０とが、開閉可能に取り付けられている。前枠１４と上皿３０とは、ヒンジ機構１３に枢支され、開閉可能となっている。中枠１２の前面側において、上皿３０の下方に、下皿４０や打球装置２０のハンドルが装着されている。
【００１６】
上皿３０に、その左方側に機内部から払出される遊技球Ｐの上皿払出口３１が設けられている。入賞等により払い出された遊技球Ｐは、上皿払出口３１から上皿３０へ排出される。上皿３０に貯留されている遊技球Ｐは、機内へ取り込まれ、打球装置２０によって遊技盤７０へ発射される。上皿３０の前面には、上皿球抜きボタン３２が設けられている。上皿３０と下皿４０とは、図示しない球抜き通路によって繋がっている。上皿球抜きボタン３２が押下されたとき、球抜き通路は開通する。そして、上皿３０に貯留されていた遊技球Ｐは下皿４０へ流下する。
【００１７】
遊技機１は、入賞、図柄変動、大当たり状態、リーチ状態などの遊技の状態に応じた各種の演出を行う。遊技機１の前面側に、各種音声を出力して音声演出を行うスピーカ５０が配置されている。スピーカ５０は、前枠１４や中枠１２の裏面に装着される。スピーカ５０の装着部位に対応する遊技機１の表面に、図示しない放音孔が複数形成される。各スピーカ５０は、効果音等の各種音声を出力することによって遊技演出を行う。また、前枠１４のほぼ全周を囲むように装飾ランプ６０が配置される。各装飾ランプ６０は、ＬＥＤ（Ｌｉｇｈｔ  Ｅｍｉｔｔｉｎｇ  Ｄｉｏｄｅ）ランプ等の発光体を備える。各装飾ランプ６０は、遊技の状態に応じて点灯又は消灯することによって遊技演出を行う。
【００１８】
図２に示すように、遊技盤７０の前面に、外レール７１と内レール７２とが敷設される。外レール７１と内レール７２は、ほぼ円形の遊技領域７４を遊技盤７０上に区画形成する。内レール７２は、外レール７１の内側に敷設される。外レール７１と内レール７２とは、遊技盤７０の左下方から左上方へ延設され、打球装置２０から射出された遊技球Ｐを遊技領域７４へ誘導する円弧上の誘導路７３を形成する。
【００１９】
遊技領域７４に、複数の入賞口７６が配される。各入賞口７６は、遊技盤７０から前方向に直立し、上方に開口するポケット形状を有する。ポケットの内部に、遊技球Ｐを検知するセンサが配される。入賞口７６に遊技球Ｐが入球すると、センサは遊技球Ｐを検知する。遊技機１は、センサが遊技球Ｐを検知したことを契機として、所定球数の遊技球Ｐを上皿３０へ払い出す。遊技盤７０の遊技領域７４の最下部に、いずれの入賞口７６にも入球せずにアウト球となった遊技球Ｐが入球するアウト球口７７が配される。アウト球口７７は、アウト球を回収して内部へ送出し、機外排出を行うために設けられる。
【００２０】
遊技領域７４に、中央に開口を有した大型の枠体であるセンター役物１００が装着される。センター役物１００に、遊技球Ｐが転動し得るステージが設けられる。
【００２１】
遊技領域７４に、始動口７９が設けられる。始動口７９は、遊技盤７０から前方向に直立し、上方に開口するポケット形状を有する。ポケットの内部に、遊技球Ｐを検知するセンサが配される。始動口７９に遊技球Ｐが入球すると、センサは遊技球Ｐを検知する。遊技機１は、センサが遊技球Ｐを検知したことを契機として、図柄変動ゲームを開始する。
【００２２】
センター役物１００の開口に、図柄表示部７８が配される。図柄表示部７８は、複数種類の図柄を複数列で変動させて図柄組み合わせを導出する図柄変動ゲームなどの表示演出の画像を表示する。
【００２３】
図柄変動ゲームにおいて、図柄表示部７８は、複数種類の飾り図柄（以下、「飾図」と称する）を複数列で変動させて各列に飾図を表示する。飾図は、図柄表示部７８による表示演出を多様化するために用いられる演出用の図柄である。
【００２４】
図柄表示部７８において、図柄変動ゲームで導出される３列の図柄のそれぞれに対応して、各列の図柄を停止表示させる３つの図柄表示位置ＨＰ１，ＨＰ２，ＨＰ３が定められている。停止表示とは、図柄表示部７８が、各図柄表示位置ＨＰ１，ＨＰ２，ＨＰ３において図柄の種類を遊技者が識別可能な状態で図柄を表示することである。停止表示は、図柄が一時的に停止して表示される一時停止表示と、図柄が確定的に停止して表示される確定停止表示とを含む。
【００２５】
図柄変動ゲームが開始すると、図柄表示部７８において、図柄が変動表示されるとともに、変動の停止によって各図柄表示位置ＨＰ１，ＨＰ２，ＨＰ３に１つの図柄が一時停止表示される。そして、図柄変動ゲームが終了すると、図柄表示部７８において、各図柄表示位置ＨＰ１，ＨＰ２，ＨＰ３に１つの図柄が確定停止表示される。変動表示とは、図柄表示部７８が、予め定められた表示順序に基づいて、図柄を変動させながら表示することである。
【００２６】
図柄変動ゲームでは、各列に［１］〜［８］の８種類の数字が飾図として表示可能とされている。図柄変動ゲームが開始すると、図柄表示部７８は、予め定められた表示順序に基づいて、図柄表示部７８の上方から下方へスクロールさせながら各列の図柄を変動表示する。
【００２７】
図柄表示部７８には、当該図柄表示部７８に定められた３つの図柄表示位置ＨＰ１，ＨＰ２，ＨＰ３を結んでなる組み合わせ有効ラインＬが形成される。なお、図２では、説明のため、各図柄表示位置ＨＰ１，ＨＰ２，ＨＰ３、及び有効ラインＬを図示しているが、実機においては、これら図柄表示位置ＨＰ１，ＨＰ２，ＨＰ３、及び有効ラインＬが目視可能な状態で表示されている必要はない。有効ラインＬに停止表示された３つの図柄からなる図柄組み合わせが、大当たりか否かを遊技者に認識させるための有効な図柄組み合わせとなる。
【００２８】
図柄変動ゲームでは、有効ラインＬに停止表示させる３列の飾図を同一の飾図で形成した図柄組み合わせが、内部抽選で大当りが決定された場合に図柄表示部７８に確定停止表示させる飾図の大当り図柄とされている。例えば、飾図の大当り図柄の組み合わせは、［１１１］や［７７７］などである。一方、図柄変動ゲームでは、有効ラインＬに停止表示させる３列の飾図を同一でない飾図で形成した図柄組み合わせが、内部抽選ではずれが決定された場合に図柄表示部７８に確定停止表示させる飾図のはずれ図柄とされている。３列の飾図が同一でない場合には、３列の飾図の全てが異なる場合や、２列の飾図が同一で、かつ１列の飾図が異なる場合が含まれる。例えば飾図のはずれ組み合わせは、［１２３］、［１１５］、［７６７］や［８８９］などである。
【００２９】
遊技領域７４に、大入賞口８０が配される。大入賞口８０は、開閉動作可能な開閉扉８０ａで閉じられている。開閉扉８０ａは、図柄変動ゲームにおいて大当りが決定されると、予め定められた開放時間や開放回数で開動作し、遊技球Ｐの入球を許容する。大入賞口８０に、遊技球Ｐを検知するセンサが配される。大入賞口８０に遊技球Ｐが入球すると、センサは遊技球Ｐを検知する。遊技機１は、センサが遊技球Ｐを検知したことを契機として、所定球数の遊技球Ｐを払い出す。
【００３０】
センター役物１００は、遊技機１の前後方向に所定の厚みを有している。センター役物１００は、遊技盤７０の前面から遊技球Ｐの直径以上の厚み分突出して取り付けられる。センター役物１００の枠体は、枠体上部１００ａ及び枠体下部１００ｂを有する。枠体上部１００ａは、図柄表示部７８の上方において遊技領域７４を左右に横断する。枠体下部１００ｂは、図柄表示部７８の下方において遊技領域７４を左右に横断する。センター役物１００のステージを転動する遊技球Ｐが勢い余って、裏ユニット７０ａ（図３参照）側へ飛び出さないように仕切壁としての役割を担う仕切板が設けられている。仕切板は、図柄表示部７８の表示を妨げないように透光性を有している。
【００３１】
遊技盤７０は裏ユニット７０ａを有している。なお、裏ユニット７０ａを含めて遊技盤７０という場合がある。
【００３２】
裏ユニット７０ａは遊技盤７０の背面に配設される。裏ユニット７０ａの背面に図柄表示部７８が取り付けられている。裏ユニット７０ａにはセンター役物１００の開口に対応するように開口部７０ｂが設けられている。裏ユニット７０ａの開口部７０ｂに図柄表示部７８が取り付けられる。
【００３３】
裏ユニット７０ａは、裏ユニット７０ａと遊技盤７０との間にスペースが画成されるように略コ字状に形成される。画成されたスペースは、様々な部品を設けるための設置スペースとして用いられる。遊技盤７０は、遊技者が遊技盤７０を介して図柄表示部７８を視認することができるように、例えばアクリル樹脂材で形成され、その全体が透光性を有する。
【００３４】
設置スペースには様々な部品が設けられる。従って、設けられる装置及び部品は、可能な限り小型であることが好ましい。そのためには、可動演出装置２００を構成する構成部品の数を少なくするとともに、構成部品を設置スペースに有効に配置する必要がある。
【００３５】
図２は、遊技盤７０の正面図である。可動演出装置２００は、遊技盤７０の左周縁部に配される。また、可動演出装置２００は、センター役物１００の後方に配される。図３は、裏ユニット７０ａの後方斜視図である。可動演出装置２００は、裏ユニット７０ａに前方から装着される。
【００３６】
〔可動演出装置２００の構成〕
図４〜図９を参照して可動演出装置２００の構成を説明する。図４は、可動演出装置２００の前方斜視図である。図５は、可動演出装置２００の後方斜視図である。図６は、可動演出装置２００の正面図である。図７は、可動演出装置２００の背面図である。図８は、図７におけるＡ−Ａ断面図である。図９は、可動演出装置２００の背面図である。可動演出装置２００は、１つの動力源Ｍと、保持部３００と、可動体４００と、第１の機構部Ｓ１と、第２の機構部Ｓ２と、第１のベース５００と、第２のベース６００とを有する。
【００３７】
（第１のベース５００、第２のベース６００）
第１のベース５００及び第２のベース６００は、樹脂材で形成される。第１のベース５００及び第２のベース６００は、互いにネジ止め固定される。ネジ止めされる位置は、後述する第１の機構部Ｓ１及び第２の機構部Ｓ２に干渉しない位置であればよく、適宜設計されてよいものである。第１のベース５００及び第２のベース６００は、互いにネジ止め固定されたとき、内部に空間を画成するように構成される。この空間には、保持部３００の基端側、第１のギヤ７００、第３のギヤ８００及び第４のギヤ８１０が配される。詳細は後述する。また、可動演出装置２００が裏ユニット７０ａに取り付けられたとき、第１のベース５００が前方に配され、第２のベース６００が後方に配される。
【００３８】
第１のベース５００は、駆動ギヤＭＧを回転可能に支える穴５１０を有する。動力源Ｍは、モータである。動力源Ｍには、回転部に駆動ギヤＭＧが取り付けられる（図９参照）。駆動ギヤＭＧは、樹脂材で形成された平歯車である。動力源Ｍは、駆動ギヤＭＧ側を前方へ向けて第１のベース５００の穴５１０にはめ込むように取り付けられ、ネジ止め位置ＳＣ１及びＳＣ２において、ネジで第１のベース５００に固定される。駆動ギヤＭＧは、動力源Ｍからの力を直接的に受けて回転する。
【００３９】
また、第１のベース５００は、第３のギヤ８００を回転可能に支える穴５２０を有する。第１のベース５００は、円弧状の溝５３０を有する。この溝５３０の円弧の中心は、第３のギヤ８００を回転可能に支える穴５２０の中心と同一である。円弧状の溝５３０には、保持部３００の突出部３１０がはめ込まれる。円弧状の溝５３０は、はめ込まれた突出部３１０を案内する。また、第１のベース５００は、円弧状のセクタギヤ５４０を有する。セクタギヤ５４０は、内縁側に歯を有する。セクタギヤ５４０は、第１のベース５００と一体的に形成され、第１のベース５００に対して後方側へ突出する。セクタギヤ５４０の円弧は、円弧状の溝５３０と同心円状に形成される。セクタギヤ５４０は第４のギヤ８１０の移動方向を円弧状に案内する。
【００４０】
第２のベース６００は、上述した空間において、前方へ突出したリング状の凹部６１０を有する。凹部６１０は、第２のベース６００と一体的に形成される。凹部６１０は、第１のギヤ７００をその後方側で軸支する。
【００４１】
（保持部３００）
図９は、第２のベース６００及び動力源Ｍを除いて表した可動演出装置２００の背面図である。保持部３００は、可動体４００の一部を中心として回転可能に可動体４００を保持する。保持部３００は、アーム形状を有する。保持部３００において、可動体４００側を先端部と称し、第１のベース５００及び第２のベース６００側を基端部と称する。保持部３００は、樹脂材で形成される。保持部３００は、先端部に穴３２０を有し、穴３２０を中心として可動体４００を回転可能に保持する。スペーサ４１０は、樹脂材で形成される。保持部３００は、先端部の穴３２０から前方へ、スペーサ４１０及び可動体４００を回転可能に保持する。スペーサ４１０の前後方向の厚みは、可動体４００と第１のベース５００とが干渉しないように定められる。
【００４２】
また、保持部３００は、先端部の穴３２０から後方へ、第２のギヤ７１０を保持する。図１０は、図８における先端部の近傍を表す拡大図である。第２のギヤ７１０は、樹脂材で形成された平歯車である。第２のギヤ７１０は、先端部の穴３２０に対してはめ込み可能な段差部７１０ａを有し、この段差部７１０ａが先端部の穴３２０にはめ込まれる。スペーサ４１０と可動体４００とは、可動体４００の一部を軸としてネジで軸方向に固定される。また、第２のギヤ７１０とスペーサ４１０とは、ネジで保持部３００を挟んで軸方向に互いに固定される。また、第２のギヤ７１０とスペーサ４１０とは、キー構造により軸の円周方向に互いに固定される。それにより、保持部３００は、可動体４００の一部を中心（保持部３００の先端部の穴３２０の中心）として回転可能に可動体４００を保持する。
【００４３】
また、保持部３００は、基端部に穴３３０を有する。図１１は、図８における基端部の近傍を表す拡大図である。保持部３００は、基端部の穴３３０を中心として回転可能に第１のベース５００に取り付けられる。また、保持部３００は、突出部３１０を有する。突出部３１０は、基端部の穴３３０から先端部の穴３２０への方向へ、円弧状の溝５３０の円弧半径に相当する距離の位置に、保持部３００と一体的に設けられる。突出部３１０は、円柱形状を有する。突出部３１０は、保持部３００から後方へ突出して、円弧状の溝５３０にはめ込まれる。
【００４４】
可動体４００は、樹脂材により形成される。可動体４００は、樹脂材で、拳銃を模した長尺形状に形成される。この可動体４００が、後述する第１の機構部Ｓ１による回転動作と第２の機構部Ｓ２による回転動作とをともに行うことにより、遊技における演出が行なわれる。
【００４５】
第１の機構部Ｓ１は、動力源Ｍにより、可動体４００の一部を中心として可動体４００を回転させる。第１の機構部Ｓ１は、第１のギヤ７００と、第２のギヤ７１０と、アイドルギヤ７２０とを有する。第１のギヤ７００は、動力源Ｍにより駆動される。第１のギヤ７００は、樹脂材で形成された平歯車である。第１のギヤ７００は、保持部３００の基端部の穴３３０に後方から回転可能に取り付けられる。第１のギヤ７００の歯は、アイドルギヤ７２０の歯と嵌合する。
【００４６】
また、第１のギヤ７００の歯は、駆動ギヤＭＧの歯と嵌合する。アイドルギヤ７２０は、保持部３００の中央部に後方から回転可能に取り付けられる。アイドルギヤ７２０は、樹脂材で形成された平歯車である。また、アイドルギヤ７２０の歯は、第１のギヤ７００の歯と嵌合する。第２のギヤ７１０は、第１のギヤ７００により駆動され、可動体４００をその一部を中心として回転させる。第２のギヤ７１０は、保持部３００に対して第１のギヤ７００側の方向（後方）に配される。また、第２のギヤ７１０は、保持部３００の先端部に回転可能に取り付けられる。第２のギヤ７１０の歯は、アイドルギヤ７２０の歯と嵌合する。
【００４７】
このように、第１の機構部Ｓ１は、保持部３００の基端部側から先端部側へ、第１のギヤ７００、アイドルギヤ７２０、第２のギヤ７１０の順に配されて構成される。動力源Ｍが動作することによって、駆動ギヤＭＧは回転される。駆動ギヤＭＧが回転することにより、駆動ギヤＭＧと歯が嵌合した第１のギヤ７００は回転する。第１のギヤ７００が回転することにより、第１のギヤ７００と歯が嵌合したアイドルギヤ７２０は回転する。アイドルギヤ７２０が回転することにより、アイドルギヤ７２０と歯が嵌合した第２のギヤ７１０は回転する。
【００４８】
前述したように、第２のギヤ７１０及びスペーサ４１０は、ネジで同軸に固定され、スペーサ４１０と可動体４００とは、可動体４００の一部を軸としてボルトで同軸固定されている。さらに、第２のギヤ７１０は、先端部の穴３２０を中心として回転可能に保持部３００により保持されている。従って、第２のギヤ７１０は、自身が回転することにより、可動体４００をその一部を中心として回転させる。図９に、第１の機構部Ｓ１による可動体４００の回転方向Ｄ１、駆動ギヤＭＧの回転方向Ｄ２、第１のギヤ７００の回転方向Ｄ３、アイドルギヤ７２０の回転方向Ｄ４、及び第２のギヤ７１０の回転方向Ｄ５を示す。
【００４９】
〔第２の機構部Ｓ２〕
図１２は、第２のベース６００、動力源Ｍ、第１の機構部Ｓ１及び保持部３００を除いて表した可動演出装置２００の背面図である。第２の機構部Ｓ２は、動力源Ｍにより、保持部３００の一部（保持部３００の先端部の穴３２０に対し、その先端側と相対する位置の基端部側）を中心として保持部３００を回転させる。第２の機構部Ｓ２は、第３のギヤ８００と、第４のギヤ８１０とを有する。
【００５０】
また、第１のベース５００は、セクタギヤ５４０を有する。第３のギヤ８００は、動力源Ｍにより駆動される。第３のギヤ８００は、樹脂材により形成された平歯車である。第３のギヤ８００は、その軸の前方が第１のベース５００の穴５２０に回転可能に取り付けられる。また、第３のギヤ８００は、その軸の後方が保持部３００の基端部の穴３３０に前方から回転可能に取り付けられる。
【００５１】
（第３のギヤ８００と第１のギヤ７００との関係）
図１１を参照して第３のギヤ８００と第１のギヤとの関係を説明する。第３のギヤ８００は、第１のギヤ７００と同軸に配置される。また、第３のギヤ８００は、軸部材により互いに同軸に固定される。例えば、第１のギヤ７００及び第３のギヤ８００は、互いに同軸に嵌合可能な段差部（第１のギヤの段差部７００ａ、第３のギヤの段差部８００ａ）を有する。これら段差部（第１のギヤの段差部７００ａ、第３のギヤの段差部８００ａ）は、キー構造を有する。これら段差部（第１のギヤの段差部７００ａ、第３のギヤの段差部８００ａ）のキー構造による嵌合により、第３のギヤ８００と第１のギヤ７００とは、円周方向に互いに固定される。それにより、これら段差部（第１のギヤの段差部７００ａ、第３のギヤの段差部８００ａ）が、第１のギヤ７００と第３のギヤ８００とを同軸に固定する軸部材として機能する。この固定により、第１のギヤ７００及び第３のギヤ８００は、一体的に回転する。
【００５２】
また、第１のギヤ７００及び第３のギヤ８００は、中心に穴を有する。第３のギヤ８００は穴の内壁にタップを有する。第１のギヤ７００及び第３のギヤ８００は、ネジによって軸方向に固定される。第１のギヤ７００及び第３のギヤ８００は、ネジのヘッド部を第１のギヤ７００側にするように、第１のギヤ７００を介して第３のギヤ８００のタップにネジ止めされる。それにより、第１のギヤ７００と第３のギヤ８００とは軸方向に固定される。このように、第１のギヤ７００と第３のギヤ８００とが一体的に回転するように固定されるので、駆動ギヤＭＧが回転すると、第１のギヤ７００と第３のギヤ８００とがともに回転する。このことは、動力源Ｍが、第１の機構部Ｓ１と第２の機構部Ｓ２とを同時に動作させることに相当する。
【００５３】
また、第１のギヤ７００と第３のギヤ８００との間に設けられた段差部（第１のギヤの段差部７００ａ、第３のギヤの段差部８００ａ）は、所定の軸方向の厚みを有し、これら段差部（第１のギヤの段差部７００ａ、第３のギヤの段差部８００ａ）の総厚は、保持部３００の厚み以上である。保持部３００は、これら段差部（第１のギヤの段差部７００ａ、第３のギヤの段差部８００ａ）による軸部材を、基端部の穴３３０に挿通するように、第１のギヤ７００と第３のギヤ８００との間に配される。それにより、第１のギヤ７００と、第３のギヤ８００と、保持部３００の基端部の穴３３０とは互いに同軸に配される。さらに、第１のギヤ７００の軸の後方側は、第２のベース６００の凹部６１０に軸支される。従って、前方から、第１のベース５００の穴５２０、第３のギヤ８００、保持部３００の基端部の穴３３０、第１のギヤ７００、第２のベース６００の凹部６１０の順に同軸に配される。また、この構成により、第１のギヤ７００及び第３のギヤ８００と、保持部３００とは、それぞれ独立に第１のベース５００及び第２のベース６００に対して回転可能となる。
【００５４】
第４のギヤ８１０は、第３のギヤ８００と噛合するように配置されている。第４のギヤ８１０は、第３のギヤ８００により駆動される。第４のギヤ８１０は、樹脂材で形成された平歯車である。第４のギヤ８１０は、その中心に穴８１０ａを有する。第４のギヤ８１０は、この穴８１０ａに突出部３１０が挿通するように嵌合されて配される。それにより、第４のギヤ８１０は、突出部３１０に回転可能に支えられる。第４のギヤ８１０は、保持部３００の一部を中心として保持部３００を回転させる。第４のギヤ８１０は、保持部３００に対して第３のギヤ８００側の方向（前方）に配される。第４のギヤ８１０の歯は、第３のギヤ８００の歯と嵌合する。第４のギヤ８１０が突出部３１０を中心として回転するとともに保持部３００は基端部の穴３３０を中心として回転する。
【００５５】
第１のベース５００は、円弧状のセクタギヤ５４０を有する。セクタギヤ５４０は、内縁側に歯を有する。セクタギヤ５４０は、第１のベース５００と一体的に形成され、第１のベース５００に対して後方側へ突出する。セクタギヤ５４０の円弧は、円弧状の溝５３０と同心円状に形成される。セクタギヤ５４０の歯は、第４のギヤ８１０の歯と嵌合する。セクタギヤ５４０は、第４のギヤ８１０の移動方向を案内する。
【００５６】
動力源Ｍが動作することによって、駆動ギヤＭＧは回転される。駆動ギヤＭＧが回転することにより第１のギヤ７００と同軸部材により固定された第３のギヤ８００が回転する。第３のギヤ８００が回転することにより、第３のギヤ８００と噛合する第４のギヤ８１０が回転する。第４のギヤ８１０は、セクタギヤ５４０の歯と嵌合しているので、第４のギヤ８１０自身の回転により、セクタギヤ５４０の円弧に沿って移動する。
【００５７】
ここで、第４のギヤ８１０の穴８１０ａには、突出部３１０が挿通している。従って、第４のギヤ８１０がセクタギヤ５４０の円弧に沿って移動することにより、突出部３１０は、第４のギヤ８１０の穴８１０ａの内壁に押され、基端部の穴３３０を中心として円弧状に移動する。突出部３１０は、保持部３００と一体的に設けられている。従って、突出部３１０が円弧状に移動するとともに、保持部３００は、突出部３１０を力点とし、基端部の穴３３０を支点した回転をする。このとき、突出部３１０は、円弧状の溝５３０に沿って移動する。図１２に、第２の機構部Ｓ２による保持部３００の回転方向Ｄ６、第３のギヤ８００の回転方向Ｄ７、第４のギヤ８１０の回転方向Ｄ８、及び第４のギヤ８１０の移動方向Ｄ９を示す。
【００５８】
ここで、前述したように、動力源Ｍは、第１の機構部Ｓ１と第２の機構部Ｓ２とを同時に動作させる。従って、第１の機構部Ｓ１による可動体４００の回転と、第２の機構部Ｓ２による保持部３００の回転とは同時になされる。また、可動体４００は、保持部３００の先端部に回転可能に保持されている。従って、可動体４００は、第１の機構部Ｓ１による回転動作を行ないながら、保持部３００の回転により保持部３００の先端部が移動する軌跡に沿って、第１の機構部Ｓ１による回転中心（先端部の穴３２０に保持された回転中心）が移動するように動作（第２の機構部Ｓ２による回転動作）する。
【００５９】
図１３は、第１の機構部Ｓ１による回転動作及び第２の機構部Ｓ２による回転動作を行った可動演出装置２００の前方斜視図である。図１４は、第１の機構部Ｓ１による回転動作及び第２の機構部Ｓ２による回転動作を行った可動演出装置２００の後方斜視図である。図１５は、第１の機構部Ｓ１による回転動作及び第２の機構部Ｓ２による回転動作を行った可動演出装置２００の正面図である。図１６は、第１の機構部Ｓ１による回転動作及び第２の機構部Ｓ２による回転動作を行った可動演出装置２００の背面図である。第１の機構部Ｓ１による回転動作及び第２の機構部Ｓ２による回転動作により、可動演出装置２００による演出動作は、可動体４００を、先端部の穴３２０に保持された回転中心とした回転をさせながら、遊技盤７０の左周縁部から中央下部Ｔ（図２参照）へ、保持部３００の基端部の穴３３０を回転中心とした円弧状の移動をさせる演出動作となる。この演出動作は、遊技者にとって、拳銃を模して形成された可動体４００が、回転しながら、視認できない左周縁部から視認できる中央下部Ｔ（図２参照）へ移動して出てくるように見える。
【００６０】
〔ギヤ比〕
第１のギヤ７００及び第２のギヤ７１０を含む第１の機構部Ｓ１と、第３のギヤ８００及び第４のギヤ８１０を含む第２の機構部Ｓ２とは、第１の機構部Ｓ１による可動体４００の回転数が第２の機構部Ｓ２による保持部３００の回転数よりも多くなるように構成される。例えば、第１のギヤ７００のピッチ円半径Ｒ１、第２のギヤ７１０のピッチ円半径Ｒ２、第３のギヤ８００のピッチ円半径Ｒ３及び第４のギヤ８１０のピッチ円半径Ｒ４は、第１の機構部Ｓ１による可動体４００の回転数が第２の機構部Ｓ２による保持部３００の回転数よりも多くなるように構成される。例えば、保持部３００が、遊技盤７０の左周縁部から中央下部Ｔ（図２参照）へ先端部を移動するように、基端部の穴３３０を中心として４分の１回転するとき、可動体４００が先端部の穴３２０を中心として回転する回転数ｎは、セクタギヤ５４０のピッチ円半径ＲＳを用いて次式によって表される。
【００６１】
【数１】
2015051121.tif 000003
【００６２】
ここで、セクタギヤ５４０のピッチ円半径ＲＳは、第３のギヤ８００のピッチ円半径Ｒ３及び第４のギヤ８１０のピッチ円半径Ｒ４を用いて次式によって表される。
【００６３】
【数２】
2015051121.tif 000004
【００６４】
［数１］及び［数２］に基づいて、回転数ｎは、第１のギヤ７００のピッチ円半径Ｒ１、第２のギヤ７１０のピッチ円半径Ｒ２、第３のギヤ８００のピッチ円半径Ｒ３及び第４のギヤ８１０のピッチ円半径Ｒ４を用いて次式によって表される。
【００６５】
【数３】
2015051121.tif 000005
【００６６】
回転数ｎを４分の１回転（基端部の穴３３０を中心とした保持部３００の回転数）より多くするために、第１のギヤ７００のピッチ円半径Ｒ１、第２のギヤ７１０のピッチ円半径Ｒ２、第３のギヤ８００のピッチ円半径Ｒ３及び第４のギヤ８１０のピッチ円半径Ｒ４は、次式の関係であればよい。
【００６７】
【数４】
2015051121.tif 000006
【００６８】
例えば、第１のギヤ７００のピッチ円半径Ｒ１が「１２．５ｍｍ」、第２のギヤ７１０のピッチ円半径Ｒ２が「５ｍｍ」、第３のギヤ８００のピッチ円半径Ｒ３が「４．５ｍｍ」、第４のギヤ８１０のピッチ円半径Ｒ４が「４．５ｍｍ」であるとき、回転数ｎは、「２．１」である。
【００６９】
〔保持部の幅と各ギヤの半径との関係〕
なお、第１のギヤ７００の歯先円直径、アイドルギヤ７２０の歯先円直径、及び第２のギヤ７１０の歯先円直径は、保持部３００の幅以下に定められる。保持部３００の幅とは、先端部の穴３２０と基端部の穴３３０とを結ぶ方向に直交する方向の、保持部３００の長さである。前述したように、第１のギヤ７００、アイドルギヤ７２０、及び第２のギヤ７１０は、保持部３００の後方に配される。従って、第１のギヤ７００、アイドルギヤ７２０及び第２のギヤ７１０は、遊技者にとって視認できない位置に配される。それにより、可動演出装置２００は、演出動作に係る駆動機構を遊技者から隠しながら演出動作を行うことができるので、演出効果をさらに高めることができる。
【００７０】
〔動作〕
可動演出装置２００による演出動作について説明する。この演出動作は、動力源Ｍが動作して駆動ギヤＭＧが回転することによって開始する。駆動ギヤＭＧが回転することにより、第１のギヤ７００及び第３のギヤがともに回転する。第１のギヤ７００が回転することにより、第１のギヤ７００と歯が嵌合したアイドルギヤ７２０は回転する。アイドルギヤ７２０が回転することにより、アイドルギヤ７２０と歯が嵌合した第２のギヤ７１０は回転する。第２のギヤ７１０は、自身が回転することにより、可動体４００をその一部（先端部の穴３２０）を中心として回転させる（第１の機構部Ｓ１による回転動作）。
【００７１】
第１のギヤ７００の回転と同時に第３のギヤ８００が回転するので、第３のギヤ８００と嵌合する第４のギヤ８１０が回転する。第４のギヤ８１０は、セクタギヤ５４０の歯と嵌合しているので、第４のギヤ８１０自身の回転により、セクタギヤ５４０の円弧に沿って移動する。
【００７２】
第４のギヤ８１０がセクタギヤ５４０の円弧に沿って移動することにより、突出部３１０を一体的に有する保持部３００は、基端部の穴３３０を中心として、先端部が円弧状の溝５３０と同心円状の弧を描くように回転する（第２の機構部Ｓ２による回転動作）。
【００７３】
第１の機構部Ｓ１による回転動作及び第２の機構部Ｓ２による回転動作により、可動演出装置２００による演出動作は、可動体４００を、先端部の穴３２０に保持された回転中心とした回転をさせながら、遊技盤７０の左周縁部から中央下部Ｔ（図２参照）へ、保持部３００の基端部の穴３３０を回転中心とした円弧状の移動をさせる演出動作となる。
【００７４】
本発明の実施形態を説明したが、この実施形態は、例として提示したものであり、発明の範囲を限定することは意図していない。本発明の実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７５】
１      遊技機
１０    外枠
１１    腰板ユニット
１２    中枠
１３    ヒンジ機構
１４    前枠
２０    打球装置
３０    上皿
３１    上皿払出口
３２    上皿球抜きボタン
４０    下皿
５０    スピーカ
６０    装飾ランプ
７０    遊技盤
７０ａ  裏ユニット
７０ｂ  開口部
７１    外レール
７２    内レール
７３    誘導路
７４    遊技領域
７６    入賞口
７７    アウト球口
７８    図柄表示部
７９    始動口
８０    大入賞口
８０ａ  開閉扉
１００  センター役物
１００ａ  枠体上部
１００ｂ  枠体下部
２００  可動演出装置
３００  保持部
３１０  突出部
３２０  先端部の穴
３３０  基端部の穴
４００  可動体
４１０  スペーサ
５００  第１のベース
５３０  溝
５４０  セクタギヤ
６００  第２のベース
７００  第１のギヤ
７００ａ  第１のギヤの段差部
７１０  第２のギヤ
７２０  アイドルギヤ
８００  第３のギヤ
８００ａ  第３のギヤの段差部
８１０  第４のギヤ
８１０ａ  第４のギヤの穴
Ｍ      動力源
ＭＧ    駆動ギヤ
【図１】
2015051121.tif 000007
【図２】
2015051121.tif 000008
【図３】
2015051121.tif 000009
【図４】
2015051121.tif 000010
【図５】
2015051121.tif 000011
【図６】
2015051121.tif 000012
【図７】
2015051121.tif 000013
【図８】
2015051121.tif 000014
【図９】
2015051121.tif 000015
【図１０】
2015051121.tif 000016
【図１１】
2015051121.tif 000017
【図１２】
2015051121.tif 000018
【図１３】
2015051121.tif 000019
【図１４】
2015051121.tif 000020
【図１５】
2015051121.tif 000021
【図１６】
2015051121.tif 000022